(57)【特許請求の範囲】
【請求項１】
基端部を躯体壁に固定し、先端部を屋外側に張出してなる張出ブラケットと、軒樋内側開口縁被嵌部及び軒樋内側支持部を有し、屋根端部に固定すると共に前記張出ブラケットに取付位置を内外方向に調整可能に連結してなる内側ブラケットと、軒樋外側開口縁被嵌部を有し、前記張出ブラケットに内外方向にスライド可能に取付けてなる外側ブラケットとから軒樋受け部を形成し、前記内側ブラケットの軒樋内側支持部に軒樋を当接させた状態で配設して屋根端部に対する軒樋の位置を確定すると共に、外側ブラケットの取付位置を調整することによって化粧カバーの被着位置を調整可能とした構成を有する軒樋取付構造。
【発明の詳細な説明】
【０００１】
【発明の属する技術分野】
本発明は、軒先に軒樋を取り付ける軒樋取付構造に関する。
【０００２】
【従来の技術】
建物の軒先に軒樋を取り付けるための構造としては既に種々のものが開示されており、例えば、軒樋を受ける樋受部と、この樋受部を躯体壁に固定する躯体取付部と、化粧カバーを取付けるカバー固定部と、軒天井を固定する軒天支持部とを一体に形成したブラケットを、躯体壁に所定間隔で設置し、各ブラケットに軒樋を差し渡して軒樋を取付ける構成のものがあった。
【０００３】
【発明が解決しようとする課題】
しかし、上記取付構造のように、樋受部、躯体取付部及び化粧カバー固定部を一体に形成したブラケットでは、躯体壁の出入りに伴ってブラケットの取付位置も出入りするため、屋根端部に対する軒樋の取付位置が前後することになり雨水を受けるのに最も効果的な軒樋位置を確保できないという課題があった。
また、軒樋取付構造の外側を化粧カバーで被覆する構成のものは、地震などによって軒樋が樋受部から外れても発見が遅れ、しかも修復作業においても化粧カバーを一々取り外す必要があり手間がかかるため、地震があっても軒樋が樋受部から外れにくい構造のものが要求されていた。
【０００４】
そこで、本発明は、かかる課題解決のため、躯体壁の出入りに関係なく、屋根端部に対する軒樋の位置を確定することができ、しかも軒樋が樋受部から外れにくい軒樋取付構造を提供せんとする。
【０００５】
【課題を解決するための手段】
かかる課題を解決するための本発明の軒樋取付構造は、基端部を躯体壁に固定し、先端部を屋外側に張出してなる張出ブラケットと、軒樋内側開口縁被嵌部及び軒樋内側支持部を有し、屋根端部に固定すると共に前記張出ブラケットに取付位置を内外方向に調整可能に連結してなる内側ブラケットと、軒樋外側開口縁被嵌部を有し、前記張出ブラケットに内外方向にスライド可能に取付けてなる外側ブラケットとから軒樋受け部を形成し、前記内側ブラケットの軒樋内側支持部に軒樋を当接させた状態で配設して屋根端部に対する軒樋の位置を確定すると共に、外側ブラケットの取付位置を調整することによって化粧カバーの被着位置を調整可能とした構成を特徴とする。
【０００６】
【発明の実施の形態】
以下、図面を用いつつ本発明の軒樋の取付構造について説明する。
【０００７】
図１及び図２は、本発明の軒樋の取付構造を適用した一実施例を示したものあり、１は軒樋、２は軒先に軒樋１の受け部を形成する軒樋収納ブラケット、６は本取付構造の外側を被覆する化粧カバー、７は本取付構造の底面を被覆する軒天井、８は軒樋収納ブラケット２及び軒天井７の仮固定具を兼ねた回り縁、９は勾配調整材Ｂを被覆する鼻隠し、１０は雨水を軒樋１内に案内する水切りである。
【０００８】
先ず、上記回り縁８は、躯体取付面８ａの上端部を一側に折り返して係止受け部８ｂを形成すると共に、躯体取付面８ａの下端から載置面８ｃを一側に張出形成して後述する張出ブラケット３の基端部を支持して仮固定可能に形成すると共に、前記載置面８ｃの下側に軒天井７の内側縁部を嵌合可能な断面コ字状の嵌合部８ｄを形成して当該軒天井７を仮固定可能に形成したものであり、図２に示すように、躯体取付面８ａを躯体壁Ａに固着して取付けてある。
【０００９】
次に、上記軒樋収納ブラケット２は、図２及び図３に示すように、基端部を躯体壁Ａに固定し、先端部を屋外側に張出してなる張出ブラケット３と、その一部を勾配調整材Ｂに固定し、他部を前記張出ブラケット３に内外方向に取付位置調整可能に連結してなる内側ブラケット４と、前記張出ブラケット３の外側に内外方向にスライド可能に連結してなる外側ブラケット５とからなっており、これら張出ブラケット３、内側ブラケット４及び外側ブラケット５に囲まれた内部に軒樋１を差し渡すようになっている。
【００１０】
張出ブラケット３は、図３に示すように、上端部を係止部３ｂとした固定面３ａを基端部としてその下端から外側に張出底面３ｃを形成し、この張出底面３ｃの左右一側縁に沿って固定面３ａから張出底面３ｃ外側端付近まで張出側面３ｄを立設すると共に、張出底面３ｃの内側部上方を覆うようにその２辺を固定面３ａ及び張出側面３ｄに連結した張出上面３ｅを形成し、前記張出側面３ｄに水平方向（内外方向）に長尺な長孔３ｆ、３ｆを穿設し、前記張出上面３ｅの外側端寄りに内外方向に長尺な長孔３ｇを穿設し、前記固定面３ａにビス孔３ｈ、３ｈ、３ｈ、３ｈを穿設してなっており、この張出ブラケット３は、図１及び図２に示すように、回り縁８を介して躯体壁Ａに固定してある。
【００１１】
内側ブラケット４は、図３に示すように、躯体固定面４ａ、連結面４ｂ及び上面４ｃからなるコ字状板部材であり、連結面４ｂの外側端部分を折曲して軒樋１の樋内側面部１ａに面接するように支持部４ｄを形成し、前記上面４ｃの先端部分を下方に折曲して軒樋１の内側開口縁を被嵌し得るように被嵌部４ｅを形成し、前記連結面４ｂにネジ挿通孔４ｆを穿設し、前記躯体固定面４ａにはビス孔４ｇを穿設してなっており、図１及び図２に示すように、躯体固定面４ａを鼻隠し９を介して勾配調整材Ｂに固定して吊り下げ状態とすると共に、ネジ挿通孔４ｆ及び長孔３ｇに蝶ネジ１１を挿通させて上記張出ブラケット３と内外方向に取付位置調整可能に連結してある。
【００１２】
外側ブラケット５は、図３に示すように、化粧カバー６の内側面形状に対応した前面部５ａ及び上面部５ｂとからカバー受部を形成すると共に、上面部５ｂの先端部を折曲して軒樋１の内側開口縁を内外方向に移動可能な余裕をもって被嵌し得るように係止受け部５ｃを形成し、前記前面部５ａの一側辺に軒樋１の樋外側面部１ｂに沿った輪郭を備えた側面５ｄを形成すると共に、この側面５ｄの下側部を内側（躯体側）に延設して連結面５ｅを形成し、更にこの連結面５ｅの上縁部を水平に折曲して軒樋載置面５ｆを形成し、前記連結面５ｅの上記長孔３ｆ、３ｆに対応した位置にネジ挿通孔５ｇ、５ｇを穿設してなっており、この外側ブラケット５は、図１及び図２に示すように、その連結面５ｅを上記張出ブラケット３の張出側面３ｄに当接し、ネジ挿通孔５ｇ及び長孔３ｆに蝶ネジ１１を挿通して張出ブラケット３に内外方向にスライド可能に取付けてある。
【００１３】
また、上記化粧カバー６は、前面側部６ａの上端部を折曲して上記外側ブラケット５の化粧係止受け部５ｃに係止可能な係止部６ｂを形成し、前面側部６ａの下端部を内側に折曲して底面部６ｃを形成し、この底面部６ｃの先端部を立ち上げて折曲面を形成し、この折曲面にビス孔を穿設して固定部６ｄとしてなっており、この化粧カバー６は、図１及び図２に示すように、その前面側部６ａを上記外側ブラケット５に被着して係止部６ｂを外側ブラケット５の化粧係止受け部５ｃに係止し、さらにその固定部６ｄを張出ブラケット３の張出底面３ｃに軒天井７と共にビス止めして固定してある。
【００１４】
また、上記軒天井７は、軒樋取付方向に長尺なプレート部７ａの外側縁部に固定片部７ｂを張出し、この固定片部７ｂにビス孔を穿設すると共に、固定片部７ｂの外側端を上方に折り返して掛止部７ｃを形成してなっており、図１及び図２に示すように、その内側縁部を回り縁８の嵌合部８ｄに嵌入すると共に、その掛止部７ｃを張出ブラケット３の張出底面３ｃ先端縁に係止させた状態で、その固定片部７ｂを上記化粧カバー６の固定部６ｄに重ね、この重合部をビス止めして張出ブラケット３の張出底面３ｃに固定し取付けてある。
【００１５】
本軒樋取付構造は上記のように構成してあるから、軒樋１を軒樋載置面５ｆ上に載置し、その樋内側面部１ａを内側ブラケット４の支持部４ｄに突き当てることにより、勾配調整材Ｂすなわち屋根端部に対する軒樋１の位置を確定することができ、これより、場所によって躯体壁Ａと勾配調整材Ｂの距離が変化することがあっても、屋根端部と軒樋１との距離を一定に確保することができる。また、外側ブラケット５は内側ブラケット４乃至軒樋１と独立してスライド可能であるから、躯体壁Ａと勾配調整材Ｂとの距離が場所によって変化して張出ブラケット３の先端位置が内外にずれることがあっても、外側ブラケット５の取付位置を調整することによって、隣合う外側ブラケット５、５を揃えることができるから、化粧カバー６の面を合わせることができる。
【００１６】
また、多数配設する軒樋収納ブラケット２のうちの一部の軒樋収納ブラケット２において、内側ブラケット４の支持部４ｄと外側ブラケット５の側面５ｄとで軒樋１を挟持させれば軒樋１を前後方向に固定することができ、しかも内側ブラケット４の上面４ｃ及び被嵌部４ｅで軒樋１の内側開口縁を被嵌すると共に、外側ブラケット５の上面部５ｂ及び化粧係止受け部５ｃで軒樋１の外側開口縁を被嵌するようになっているから、軒樋１の上下動を抑え、地震などが起こっても軒樋１を樋受部か外れることがない。
【００１７】
更にまた、張出ブラケット３を回り縁８に仮固定した状態で、内側ブラケット４を固定する高さを調整することにより、張出ブラケット３を水平に微調整することができる。
【００１８】
以下、上記軒樋取付構造の組み立て方法について説明する。
予め屋根パネルＣの軒端端面が垂直となるように勾配調整材Ｂを取付けておき、この勾配調整材Ｂを被覆するように鼻隠し９を取付け、この鼻隠し９に重ねて水切り１０を屋根パネルＣの軒端部に取り付けておく。
【００１９】
先ず、回り縁８を躯体壁Ａに沿って取付け、この回り縁８の所定位置に軒樋収納ブラケット２，２，２・・を仮固定する。次いで各軒樋収納ブラケット２において、張出ブラケット３が水平となるように内側ブラケット４を勾配調整材Ｂに固定した後、張出ブラケット３の固定面３ａをビス止めして回り縁８を介して躯体壁Ａに固定する。
【００２０】
次に、外側ブラケット５を外側に引出した状態で内側ブラケット４、外側ブラケット５間に軒樋１を挿入し、樋内側面部１ａを内側ブラケット４の支持部４ｄに突き当てた状態に軒樋１を配設し、軒樋１その取付位置を確定させた後、外側ブラケット５を躯体側に押し込み、軒樋１を内側ブラケット４、外側ブラケット５間に嵌め込んだ状態とする。ここで、隣接する外側ブラケット５、５の面を合わせるように、必要な外側ブラケット５をスライドさせて取付位置を調整し、その後外側ブラケット５を張出ブラケット３に固定する。
【００２１】
そして、軒天井７を回り縁８に仮固定する一方、上記外側ブラケット５に化粧カバー６を被着し、その固定部６ｄを軒天井７の固定片部７ｂに重ね、この重合部をビス止めして張出ブラケット３の張出底面３ｃに固定すればよい。
【図面の簡単な説明】
【図１】本発明の一実施例に係る軒樋取付構造を示した斜視図である。
【図２】図１の側断面図である。
【図３】図１の軒樋取付構造を構成する軒樋収納ブラケットの分解斜視図である。
【符号の説明】
Ａ  躯体壁
Ｂ  勾配調整材
Ｃ  屋根パネル
１  軒樋
２  軒樋収納ブラケット
３  張出ブラケット
４  内側ブラケット
５  外側ブラケット
６  化粧カバー
７  軒天井
８  回り縁
９  鼻隠し
10  水切り
【図１】
0003715076.tif 000002
【図２】
0003715076.tif 000003
【図３】
0003715076.tif 000004